Podtech/llm-jp-corpus-v4-ja_patent huggingface dataset:
(57)【要約】      （修正有）【課題】搭載する蓄電用デバイスを極力減らして軽量かつ安価で、さらに航続距離の課題を解決すべく手段を具備した電車を提供する。【解決手段】回転式電池電力貯蔵装置２を搭載したことを特徴とする電車であり、必要とするエネルギ−の補給を随時受けてこれを貯蔵し、補給の繰り返し実施を可能とすべく手段を具備した電車を提供する。【選択図】図１
2009022151.tif 000002
【特許請求の範囲】
【請求項１】
回転式電池電力貯蔵装置を搭載したことを特徴とする電車。
【発明の詳細な説明】
【技術分野】
【０００１】  本発明は、回転式電池電力貯蔵装置を搭載したことを特徴とする電車に関するものである。
【背景技術】
【０００２】  従来、蓄電用デバイスを搭載して電力を貯蔵し、これを動力源とする電車が検討されているが、必要とする蓄電用デバイスの量が多すぎることや航続距離に課題があり、実用化には至っていない。【０００３】  一方近年、これらの課題を解決すべく、回転式電池電力貯蔵装置が発明されている。
【特許願１】
整理番号  Ｔ２００７０１０  提出日  平成１９年７月１日  発明者  田中  強
【特許願２】
整理番号  Ｔ２００７０１１  提出日  平成１９年７月１日  発明者  田中  強
【発明の開示】
【発明が解決しようとする課題】
【０００４】  本発明は、搭載する蓄電用デバイスを極力減らして軽量かつ安価で、さらに航続距離の課題を解決すべく手段を具備した電車を提供する目的からなされたものである。
【課題を解決するための手段】
【０００５】  本発明は、回転式電池電力貯蔵装置を搭載したことを特徴とする電車であり、必要とするエネルギ−の補給を随時受けてこれを貯蔵し、補給の繰り返し実施を可能とすべく手段を具備した電車を提供することによって、従来の課題を解決できたものである。
【発明の効果】
【０００６】  本発明は、電車の動力源として、従来の電力の貯蔵機能に加え、回転運動エネルギ−貯蔵機能をも有する回転式電池電力貯蔵装置を搭載したことにより、搭載する蓄電用デバイスが少なくなり、また随時のエネルギ−補給も、蓄電用デバイスへの急速充電によらずに、回転運動エネルギ−として容易に繰り返し貯蔵可能となった電車を提供できたものである。【０００７】  都市部においては、停車駅間の距離が極めて短いので、電車の停車時に各駅構内で随時のエネルギ−補給を実施することが可能となり、その結果、走行中のトロリ−線を必要としない電車交通システムを構築できるものである。また架線事故によるトラブルの解決にも本発明は極めて有効なものである。【０００８】  本発明で搭載されている回転式電池電力貯蔵装置は、電力需要の少ない深夜時に充電して電力を貯蔵しておくことができるので、深夜電力の有効利用が計られ、電力負荷率の平坦化にも寄与できるものであり、運用コストも低減できるものである。
【発明を実施するための最良の形態】
【０００９】  以下、本発明の実施の形態を図面に基づき詳細に説明する。【００１０】  第１図は、本発明の実施例の側面図である。【００１１】  本図は、回転式電池電力貯蔵装置２を複数台搭載し、受電手段としてパンタグラフ３を装備した本発明の実施例である。実施においては、搭載する回転式電池電力貯蔵装置２の台数や設置場所に特別の制約はないが、可能な限り低位置に設置した方が重心を低くできて走行時の安定性を向上できる。【００１２】  実施においては、電車が比較的長時間停車している操車場等で、回転式電池電力貯蔵装置２に充電して電力を貯蔵しておくことができる。さらに出発直前に回転させて回転運動エネルギ−を貯蔵し、必要に応じてこれらのエネルギ−を取り出し動力源とすることができる。【００１３】  貯蔵されているエネルギ−の中で、回転運動エネルギ−は、長時間の保存ができないので、初めに回転運動エネルギ−を取り出して動力源として使用した方が効率がよい、また回転運動エネルギ−の電力への変換は、回転速度によって変動するので、別置きで設置された蓄電用デバイス４に蓄電し、蓄電用デバイス４を介して走行用モ−タ−等に供給した方が安定化できる。また回転運動エネルギ−が残っている場合や制動時における回性エネルギ−を蓄電用デバイス４に貯蔵し、これを利用することでエネルギ−効率を向上できる。【００１４】  本発明の最大の特長は、随時のエネルギ−補給と貯蔵を可能とした電車を提供できたことによって、必要とする蓄電用デバイスの量と航続距離の課題を解決できたことである。現在、エネルギ−密度の高いリチウムイオン電池やパワ−密度の高い電気二重層キャパシタ−等の高性能な蓄電用デバイスが開発途上にあるが、本発明の実施においてはこれらの高性能な蓄電用デバイスの開発を待つことはなく、すでに長年の実績のある鉛蓄電池等によって十分な性能を確保できるものである。また現有設備をそのまま利用できることと、現在運行中の電車と併用して運用できる利点がある。
【産業上の利用可能性】
【００１５】  本発明は、電車に限るものではなく、路面電車や路線バスにも適応できるものである。
【図面の簡単な説明】
【００１６】
【図１】  本発明の実施例の側面図である。
【符号の説明】
【００１７】  １    電車
２    回転式電池電力貯蔵装置
３    パンタグラフ
４    蓄電用デバイス
５    レ−ル
【図１】
2009022151.tif 000003
(57)【要約】   【課題】ペット特に犬を例にとると食事の際、早食い、大食いの傾向がある。しかし従来それを防ぐ為の矯正補助をする食器と言うのは検討されていなかった。       【解決手段】      ペットの食器内部に障害物を設ける事で、早食いによって大量の食物を一気に胃の中へ入れ、水を飲んだ直後に運動をすると、胃内でガスが発酵して捻転を起こす誘因となり胃拡張・胃捻転症候群を突然発症し、胃がねじれる事からショック状態に陥り、放置すると数時間で死亡してしまう恐ろしい病気の危険を減少させ、ゆっくり食べることによって満腹感を感じる効果もある。また周囲への餌の飛び散りも防止。   【選択図】  図２
2009022195.tif 000002
【特許請求の範囲】
【請求項１】
底面とその周囲の枠板から形成され、前記底面の内部に障害物を設けた事を特徴とするペット用食器。
【請求項２】
内部の障害物はペットが食べ物を食べられる程度のスペースを食器内部に確保し、舌を傷つけない滑らかさを持つ、請求項１記載のペット用食器。
【発明の詳細な説明】
【技術分野】
【０００１】
本発明は、ペット用食器に関し、特に早食い抑制の為、内部に障害物を設けた食器に関するものである。          
【背景技術】
【０００２】
従来のペット用食器としては一般的な皿型食器又は碗型食器など底面は全て平面状を呈するものであったがペット専用の器として、例えば、犬の嗜好性を高めるために食器底面に５〜８ｍｍ程度の高さの複数の膨隆突起を設けたものがある。
（特許文献１参照）
【特許文献１】特開平０８−１３１００６
【発明の開示】
【発明が解決しようとする課題】
【０００３】
しかしながら、ペット特に犬を例にとると食事の際、早食い、大食いの傾向がある。従来の複数の膨隆突起も障害物に成りうる高さが無いため早食い抑制には全く意味を成さない。現在、早食いを防ぐ為の矯正補助をする食器は検討されていない。
【０００４】
ペット特に犬を例にとると食事の際、早食いの為、食器の回りに餌を飛び散らす傾向がある。しかし現在それを防ぐ為の矯正補助をする食器と言うのは検討されていない。
【０００５】
犬は人間と異なり舌を使って食餌を行うが、この舌が食器底面の食べ物を
捕らえやすい結果となる。現在主流となっているドライフードは円形状である為、転がりやすく食べやすく早食いに繋がると言う欠点があるが、ペット用食器の内部にペットがフードを食べるスペースを小さくする為の障害物を設ける事でペットの早食い抑制することを目的とする食器。
【０００６】
また、早食いを抑制することで、ゆっくりとしか食べられない為、周囲への餌の飛び散りも防ぐ効果もある
【課題を解決するための手段】
【０００７】
上記課題を解決するために本発明では請求項１において、底面と枠板から形成され、内部に障害物を設けた事を特徴とする食器を提案する。また本発明では請求項２において内部の障害物はペットが食べ物を食べられる程度のスペースを食器内部に確保し、舌を傷つけない滑らかさを持つペット用食器を提案する。
【発明の効果】
【０００８】
本発明では前記の構成を採用したために、食器本体内に納められた食物を食べる際にはペットの鼻先や舌先がこの食器内部の障害物に引っかかり、この障害物によりペットの早食いを防ぎ、また周囲への餌の飛び散りを防ぐことになる。
【発明を実施するための最良の形態】
【０００９】
本発明を図面の実施例により具体的に説明するが本発明はこれに限定されるものではない。
【実施例】
【００１０】
図１及び図２に示す本発明のペットの早食い抑制の為、障害物を設けた食器は例えば陶器で構成することができ全体が安定感のある重量を持つ陶器製の食器本体１からなり、この食器本体１は底辺２と障害物３と枠板４から構成される。ペット用食器本体１は、陶器の他、磁器も可能であるし、合成樹脂、ステンレス、アルミなどの金属も可能である。
【００１１】
また本発明の底板２には障害物３が食器本体１の内部に向かって形成される。この障害物３の大きさ並びに数は適宜変更することは可能だが、障害物はペットが食べ物を食べられる程度のスペースを食器内部に確保し、舌を傷つけない滑らかさを持つ図面のものとしては直径２０〜４０ｍｍ程度で、高さが４０〜６０ｍｍ程度としている。また障害物の３の個数は３個であり、ほぼ底面２に適宜間隔でバランスよく形成される。      
【００１２】
この障害物３は底面２が平滑ではなく障害物になるように存在しており、食器内部のこの障害物により犬は食物を食べる際にペットの鼻先や舌先がこの食器内部の障害物に引っかかり早食いを抑制される。（大量の食物を一気に胃の中へ入れ、水を飲んだ直後に運動をすると、胃内でガスが発酵して捻転を起こす誘因となり胃拡張・胃捻転症候群を突然発症し、胃がねじれる事からショック状態に陥り、放置すると数時間で死亡してしまう恐ろしい病気の危険を減少させる）
【００１３】
この障害物によりペットの早喰いや周囲への餌の飛び散りを防ぐことになる。
【００１４】
また、ゆっくり食べることによって満腹感を感じる効果もある
【００１５】
実施例１
【００１６】
いぬ１０匹（種類、大きさを問わず）を無作為に２グループに分け、第一グループにはペットの早食い抑制の為、障害物を設けた食器で食餌を与え、第二グループには従来の障害物の無い底面平面状の食器で同様の食餌を同量づつ与えた。
【００１７】
この実験を１ヵ月継続したところ、第一グループは圧倒的に食餌の時間が長くなり早喰いをする犬は無く、周囲への食餌の飛び散りもなかった。しかし第二グループは早食いをする犬、周囲へ食餌を飛び散らす犬が目立った。
【図面の簡単な説明】
【００１８】
【図１】本発明のペットの早食い抑制の為、障害物を設けた食器の平面図である。
【図２】前図のＡ―Ａ線断面図である。
【符号の説明】
【００１９】
１  食器本体
２  底面
３  障害物
４  枠板
Ｌ  間隔
【図１】
2009022195.tif 000003
【図２】
2009022195.tif 000004
(57)【要約】【課題】  従来の収納庫では、模型を展示しようとすると組立てる為の場所が必要である。また、組み立てに要する時間も多くかかった。発明はこのような、収納と組み立てに時間がかかるという点と、組み立てる場所の確保が困難であると言う不具合を解決する事を課題とする。【解決手段】発明は収納庫の上部に板を設けた事を特徴とする展示ができる鉄道模型の収納庫である【選択図】図１
2009022716.tif 000002
【特許請求の範囲】
【請求項１】
収納箱の上に展示用の板を設けた事を特徴とする箱
【請求項２】
収納箱の上の展示用の設けた板を複数連結したもの
【発明の詳細な説明】
【技術分野】
【０００１】  本発明は鉄道模型の収納と展示に関するものであり、収納庫の上部に平面の板を設けることにより、収納と展示を簡単に短時間で行えるようにしたものである。
【背景技術】
【０００２】
【特許文献１】特許出願２００１−２８７５７８
【発明の開示】
【発明が解決しようとする課題】
【０００３】しかし従来の収納庫では、模型を展示しようとすると組立てる為の場所が必要である。
また、組み立てに要する時間も多くかかった。
発明はこのような、収納と組み立てに時間がかかるという点と、組み立てる場所の確保が困難であると言う不具合を解決する事を課題とする。
【課題を解決するための手段】
【０００４】この課題を解決するための請求項１の発明は収納庫の上部に板を設けた事を特徴とする展示ができる鉄道模型の収納庫である。収納庫の上部に平面の板を設けることにより収納庫から引き出して展示を行う時間を短くすることができる。また逆に展示状態から収納状態への時間を短くすることができる。
【発明の効果】
【０００５】本発明により今までよりも鉄道模型、及びレイアウトの展示と収納が短時間で出来るようになった。また本発明の収納庫の上部の平面の板を複数台連結させて大規模な展示ができるようになった。
また、大規模で展示をおこなう場合の展示と収納、移動時間、および費用が大幅に短縮される。
【発明を実施するための最良の形態】
【０００６】図１は収納庫の上部に平面の板を設けた事を特徴とする、展示用板付きの収納庫の例である。同図が示すように収納庫の上部に板があるために鉄道模型やレイアウトが簡単に収納庫より取り出して並べられる。
【実施例】
【０００７】これらの上部の板は木材や金属製の通常のものでよい。また上部の板は折り畳み式や取り外し出来るものでも良い。  また板の代わりに棒やレールでも良い
【産業上の利用可能性】
【０００８】本発明に係る収納庫は、工業的に量産する事が可能であるために、産業上の利用可能性を有する。
【図面の簡単な説明】
【０００９】
【図１】収納庫の上部に展示用の板を設けた収納庫
【図２】従来の鉄道模型、レイアウト収納庫
【図３】展示用板を折りたたんだ場合
【図４】展示用の板を複数連結した場合
【符号の説明】
【００１０】１    収納庫
２    展示用の板
３    収納棚
４    折りたたんだ展示用板
５    複数連結した時の連結板
【図１】
2009022716.tif 000003
【図２】
2009022716.tif 000004
【図３】
2009022716.tif 000005
【図４】
2009022716.tif 000006
(57)【要約】      （修正有）【課題】歯部位がＸ形の形状し、倣い機能を持った測長器とその固定機能を備え持った、新規なハサミを提供する。【解決手段】切断作業回数の削減・技術の簡易化・修正無駄の排除はＸ形形状をした切断歯物を用いることにより可能にする。必要長を得る方法は倣い測定機能で可能にする。また同長の複数製作は同機構を固定することで可能にする。倣い測定には片手での持ち運び可能なことが要求されることから、ハサミ機構を利用した道具形態にすることで可能にする。片手の人力で切断を可能にするためには切断部位の機構を歯形状にして可能にする。上述により解決をする。【選択図】図１
2009022713.tif 000002
【特許請求の範囲】
【請求項１】
Ｘ形の歯形状を備え持つ切断ハサミ。
【請求項２】
倣い方式により帯状雌型材料（以下型材いう）の長さを決めながら切断する機能を持つ上記請求項１記載のＸ型切断ハサミ。
【請求項３】
上記請求項３で決めた型材の切断長さを保持する機能を備えた上記請求項３記載のＸ型切断ハサミ。
【発明の詳細な説明】
【発明の詳細な説明】
【技術分野】
【０００１】  本発明は、段ボール、板紙又は樹脂フィルムを用いた函の製造工程における、折れ線溝を成型加工する工程において利用する型材の切断ハサミに関するものである。
【背景技術】
【０００２】  従来の技術は型材の両端をＶ形に加工するにあたり、直線に切断するハサミを用いることが一般的である。すなわち、型材の両端をＶ形に切断加工するためには、３回以上の精度合わせと切断加工作業をもって製作するのが一般的である。
さらに、型材の長さを得るために、計測または計測値の転写を繰り返して行っているのが一般的である。
【発明が解決しようとする課題】
【０００３】  上記従前公知の切断ハサミでＶ形状を得るためには、型材の両端の切断作業を最低３必要とすること。
また切断加工の技術的課題としては、Ｖ形角度を付ける時点、すなわちハサミにセットする時点で角度、中心合わせが必要であり、両者を同時かつ短時間で行うためには技術を要すること。
加えること、両者の制度不良は品質の低下を招き、特に中心不良の修正は帯状雌型の長さが短くなる事は避けられず、同型の作り直しとなること。
すなわち、両者を一定品質の精度で製作するための切断加工作業は熟練技術が必要となること。
という複数の大きな課題がある。
また、必要とする長さの雌型製品を製作するためには、設計図の読み取り作業、または現物の測定作業のどちらかが必要であり、さらに型材への測定結果の転写ケガキ作業を要し、加えて、ケガいた同材をハサミに合わせセットする作業を要すること
という課題がある。
【０００４】  本発明は、上記公知のハサミの持つ機能的課題を解決するためになされたもで、歯部位がＸ形の形状し、倣い機能を持った測長器とその固定機能を備え持った、新規なハサミを提供することにある。
【課題を解決するための手段】
【０００５】  上記の課題を解決するために本発明のＸ型切断ハサミは型材を切断加工するために上下型がＸ形の形状をし、上または下の一方もしくは両方が歯形状をした歯を有していることを特徴とする。
同材の幅方向の中心を得るための調整可能なガイド機構を備えていることを特徴とする。
切断時の歯物の抵抗による反り曲がりを防止するための反り防止を備えていることを特徴とする。
同材の切断長さを得るための倣い測長を可能とする機構、また測長位置を一時固定する機構を有していることを特徴とする。
【０００６】  本発明はハサミの上下の歯に当たる部位の形状がハサミ支点軸を水平にした時、垂線方向からの見た場合Ｘ形をなし、上下歯の間に型材をセットし鋏み切ることにより型材をＸ形に切断加工する。
また、型材をガイドに沿ってセットすることにより同材幅方向の中心を得ることができる。
また、鋏切る抵抗により型材が反り曲がり、Ｖ形切断角度の不整合原因に成るため曲がり防止ガイドを設けている。
型材の必要とする長さ決定は、ハサミ支点軸に平行にスライド可能な帯または棒状の測長具を倣い動作することにより決める。また、その決めた測長具を一時固定することにより、同一寸法の再現を可能としている。
【発明の効果】
【０００７】  型材切断作業は一回でＶ形形状が得られるため工数の削減が可能なこと。
精度確保技術においては、熟練技術が無くとも繰り返し正確な角度、中心精度が容易に得られること。
また同製品の長さ確保においても、測定、ケガキ作業からの開放と、加えて長さ精度も容易に得られること。
加えて、複数同一型材を必要とする場合は、倣い計測値を固定することにより、測長作業を省略することが可能であること。
上述の効果が図れる。
【実施例】
【０００８】  本発明による加工方法の具体的実施例の基本部位を、図−１に示す。
【図面の簡単な説明】
【図１】  基本部位の三面図
【符号の説明】
▲１▼上歯
▲２▼下歯
▲３▼帯状型材ガイド
▲４▼ハサミ機構とハンドル
▲５▼帯状型材
▲６▼倣い測長具
【装置の説明】
図１において、
型材を▲３▼に沿って又Ｖ状先端▲６▼にセットし、必要２点間にピン部を合わせて必要長を測長する。
測長した時点で、ハンドル▲４▼を握り、▲１▼上、▲２▼下歯で▲５▼を切断加工する。
同長を繰り返し切断するときは、▲６▼を固定し繰り返し切断加工する。
【図１】
2009022713.tif 000003
(57)【要約】【課題】美術関係の教室や自宅での制作活動を容易にするため、軽量で嵩張らず持ち運びが便利で、且つ簡単に組み立てたり折畳み収納が出来る卓上型イーゼルを提供すること。【解決手段】使用時には、矩形枠１、支持枠５  及び基底枠４の三部品を開き三角形を作ればキャンバス、スケッチブック、絵画ボード等を安定した矩形面上に置ける堅牢な卓上イーゼルが出来、収納時は、それら３部品が重なり合うように折畳め、あたかも矩形の薄い板枠のような形に収まるよう工夫し、気楽に収納、もしくは持ち運びが出来る特徴ある卓上型イーゼルが完成した。【選択図】図１
2009022711.tif 000002
【特許請求の範囲】
【請求項１】
キャンバス・スケッチブック・絵画用ボード等を安定して置くことが出来るよう矩形枠および受け台があり、その矩形枠は基底枠に嵌合一体化する様に製作され、且つ受け台下部を支点として開閉自在に取り付けられ、矩形枠に設けた回転自由な支持枠が、矩形枠面を基底枠に対し適宜な角度に固定できるよう、基底枠を構成する枠柱に複数の支持柱用の受溝を設けた卓上型イーゼル。
【請求項２】
基底枠の裏面の数箇所にスベリ止めを備えた請求項１の卓上型イーゼル。
【請求項３】
基底枠の枠柱の複数の溝に替えて、基底枠の枠柱と支持枠が枠柱に接する箇所に脱着自在テープを設け矩形枠面の角度を無段階に設定できるようにした請求項１の卓上型イーゼル。
【請求項４】
矩形枠および基底枠の開閉側の内側中央部に凹みを設け、開閉と組み立てを容易にした請求項１の卓上型イーゼル。
【発明の詳細な説明】
【技術分野】
【０００１】  本発明は、軽量で嵩張らず何処にでも持ち運びが出来、且つ組み立て収納が極めて容易に出来る簡便な卓上型イーゼルに関するものである。
【背景技術】
【０００２】  一般的なイーゼルは、立ち姿で使用するために三脚竪型で大きく、スペースも取るため美術関係の教室や自宅での制作活動等に使用するには不便であるだけでなく、高価でもある。【０００３】  一般的に、スケッチブックや絵画用ボードを使用してデッサン、スケッチ、静物画、水彩画等を描くときは机上で制作される。
その場合、水平面で絵画制作することとなり、対象物と９０度異なる不自然な筆使いや描く姿勢の悪さから遠近法にも狂いが生ずることから、満足できる状態で絵を描くことが難しかった。【０００４】  組立て式卓上イーゼルとして、特開２００２−１７７０５８号があり、写真立てや原稿スタンドとして使用可能なものは有るが、デッサンしたり絵を描くときに使用するには不向きであり、又強度面からも満足に使用できる物でなかった。
【発明の開示】
【発明が解決しようとする課題】
【０００５】  本発明は、このような問題を解決するためになされたもので、キャンバス、スケッチブック、絵画ボード等が安定して好みの角度に置ける堅牢な矩形面を提供し、且つ製作者が満足できる姿勢と視線を生む簡便な卓上型イーゼルを提供することを目的とする。
【発明の効果】
【０００６】  上記目的を達成するため本発明は、キャンバス、スケッチブック、絵画用ボード本等が安定した状態で支えられる矩形面と受け台を備え、矩形面の傾斜角度は、製作者の好みに応じて調節できる利便性を提供する。【０００７】  本発明は、卓上型イーゼルの基底枠の裏面に複数のスベリ止め装置を設け、イーゼルが滑りやすい机やガラス面上にあってもずれたり滑ったりすることなく設置面に固着し、通常の制作作業では微動だにせず安定した作業面を提供する。【０００８】  本発明は、キャンバス、スケッチブック、絵画ボード等がその大小にかかわらず安定して置ける傾斜矩形面を提供する装置であるが、ごく簡単に組み立てまた折り畳み出来、且つ持ち運びも便利でスマートな形を提供する。
【発明を実施するための最良の形態】
【０００９】  本発明の実施形態について図面を参照して説明する。
図１に、本発明にかかる卓上型イーゼルの組み立て使用時の実施形態を示す。
図２に、折りたたみ収納時もしくは持ち運び時の実施形態を示す。
図３に、卓上型イーゼルの裏面とスベリ止め装置の実施形態を示す。
図１において、１は使用する矩形枠面で、２の受け台が下部に設けてあり、５の支持枠は、矩形枠の中央内部にボルト・ナットで回転自由に取り付けられており、矩形枠と基底枠とはボルト・ナット３で開閉自由な構造で組み込まれており、これら３ケの枠は完全に嵌合一体化できる構造である。横板７は、イーゼルの強度を高め、且つ見栄えを良くするだけでなく、使用する矩形面が小さく狭い場合でも安定した面を提供する。
また、矩形枠と基底枠の開閉側の内側中央部の一部に凹み８を設け、開閉と組み立てを容易にした。【００１０】  本発明品は、その使用目的からして木製品で家具調的に製作するのが好ましいが、軽金属やプラスチックの成型品で製作すれば安価で量産可能である。
【実施例】
【図面の簡単な説明】
【００１１】
【図１】本発明に係る卓上型イーゼルを組み立て、キャンバス、スケッチブック、絵画用ボードなどを立て掛ける使用側から見た概略斜視図である。
【図２】本発明に係る卓上型イーゼルを折りたたんだ時に、使用面を上にして見た概略斜視図である。
【図３】本発明に係る卓上型イーゼルを折りたたんだ時に、底面から見た概略斜視図である。
【符号の説明】
【００１２】１  矩形枠                        ６  支持枠の受け溝
２  受け台                        ７  横板
３  ボルト・ナット                ８  凹み
４  基底枠                        ９  すべり止め
５  支持枠
【図１】
2009022711.tif 000003
【図２】
2009022711.tif 000004
【図３】
2009022711.tif 000005
(57)【要約】      （修正有）【課題】電気掃除機のブラシケースの中に一本の金属のシャフトを設置して、刷毛に弾力を生じせしめることを目的とした補助具を提供する。【解決手段】ブラシケースの両側にシャフト１の両端を固定し、そこを通過する刷毛３を曲折せしめて弾力を生じせしめる。【選択図】図１
2009022720.tif 000002
【特許請求の範囲】
【請求項１】
回転式ブラシ（２）の作用部分の近くに一本のシャフト（１）を横向きに渡して、刷毛（３）がその上部を通過する際に屈折して弾力を生じせしめ、カーペット類の起毛の間にひそむ塵あいをはたき出して、収塵効果をより高めることを目的とした、電気掃除機のブラッシング強化装置。
【発明の詳細な説明】
【技術分野】
【０００１】  本発明は電気掃除機の回転ブラシに反動をつけて畳やカーペットのごみやほこりをはたき出すのを目的とした掃除具で、電気掃除機のブラッシング強化装置に関するものである。
【背景技術】
【０００２】  従来の電気掃除機は、電動モーターによる強力な吸引力によって、居間のホコリを吸収せしめるものである。
その先端部にはブラシケースが取付けられており、その中に横向きの刷毛棒を回転せしめることによって、畳、床、或いはカーペットのほこりを浮上せしめこのほこりを吸収するだけであった。
【発明の開示】
【発明が解決しようとする課題】
【０００３】  しかし、畳やカーペットのほこりを浮上させるだけでは畳目や起毛間の塵やほこりは完全に取り除くことはできなかった。
本発明は、回転ブラシの下部に近い位置に金属のシャフトを一本横向きに渡して設けることによって刷毛がシャフトの上部を通過する際、折曲することによって塵やほこりを完全に取り除くことができるようにした電気掃除機のブラッシング強化装置を提供することを目的とする。
【課題を解決するための手段】
【０００４】  上記目的を達成するため本発明は、回転式ブラシの軸（２）の作用部分の近くに一本のシャフト（１）を横向きに渡して刷毛（３）がその上部を通過する際に屈折して弾力を生ぜしめ、カーペット類の起毛の間に入っている塵等をはたき出して収塵効果をより高めるようにした電気掃除機のブラッシング強化装置。
【発明の効果】
【０００５】  本発明の狙いは刷毛の作用範囲の少し手前の位置にシャフトをわたすことによって、刷毛のブラッシング効果を「掃く」から「はたく」に変化せしめることである。
従って、これによって跳ねあがったごみは、電気掃除機特有の強力な吸引作用によって即座に集塵器に送りこまれることになるから、掃除の効率をたかめることになる。
また、これはカーペットのみでなく、畳の目じなどに詰っているほこりをはたき出す役目もするから広い範囲に利用価値を有するものである。【０００６】  本発明の実施について説明する。
回転式ブラシ（２）の作用部分の近くに一本のシャフト（１）を横向きに渡して、刷毛（３）がその上部を通過する際に屈折して弾力を生じせしめ、カーペット類の起毛の間にひそむ塵あいをはたき出して、収塵効果をより高めることを目的とした、電気掃除機のブラッシング強化装置である。
シャフトは金属性で直径は３ｍｍ程度で、長さは２０ｃｍ余となるが、これを既述した回転式ブラシ棒の下部に近い位置になるようにして、両端をブラシケースの左右の内側に固定する。
これによって刷毛のすべてがこのシャフトのうえを通過する際に曲折する。
そして、弾みがついて放たれるから、そのショックによってごみとかほこりが舞上がり、同時に本体の強力な吸引力によって収塵器に集められる。
なお、回転軸の直径は１ｃｍ程のものであるが、刷毛は馬毛のような強靭なものを選び、長さは１ｃｍぐらいのもので、これを数本づつ回転軸に対してやや斜に植える。
これはシャフトにかかる負担を軽減せしめるためのものであるが、このような配列が数列植えられることになる。
【図面の簡単な説明】
【０００７】
【図１】  本発明のシャフトと回転ブラシの軸の位置関係を示した一部を断面にした斜視図である。
【図２】  刷毛がシャフトの上部を通過するときの状態を示した断面図である。
【符号の説明】
【０００８】  １  シャフト
２  回転ブラシの軸
３  刷毛
【図１】
2009022720.tif 000003
【図２】
2009022720.tif 000004
(57)【要約】【課題】柑橘類果実の輪切りの絞り具を提供する。【解決手段】レモン、オレンジ等の輪切りにされた柑橘類の果実を貫通することができる果実貫通具と、該果実貫通具のほぼ対抗する位置に回転自在に設けられた回転軸と、該回転軸の一端部付近に設けられた鉤針状の突起とにより構成されることを特徴とする。【選択図】図１
2009022723.tif 000002
【特許請求の範囲】
【請求項１】
レモン、オレンジ等の輪切りにされた柑橘類の果実を貫通することができる果実貫通具と、該果実貫通具のほぼ対向する位置に回転自在に設けられた回転軸と、該回転軸の一端部付近に設けられた鉤針状の突起とにより構成されることを特徴とする果実絞り具。
【発明の詳細な説明】
【技術分野】
【０００１】    本発明は、柑橘類果実の輪切りの絞り具に関するものである。
【背景技術】
【０００２】    従来、果肉を器具に押し付けたり、果肉を器具の中に入れ圧縮し果汁を絞る、絞り具があった。
【発明の開示】
【発明が解決しようとする課題】
【０００３】    そのために、次のような問題点があった。
（イ）従来の果実絞り具を使用すると輪切りの果実は絞ることができず、輪切りで盛り付けたりした場合は手指を使用して絞るため、衛生面等に問題があった。
【課題を解決するための手段】
【０００４】  レモン、オレンジ等の輪切りにされた柑橘類の果実を貫通することができる果実貫通具と、該果実貫通具のほぼ対向する位置に回転自在に設けられた回転軸と、該回転軸の一端部付近に設けられた鉤針上の突起とにより構成される果実絞り具。
【発明の効果】
【０００５】  本発明は、足部と回転部により果汁を絞ることができるため、輪切りのレモン等の果汁を直接手指で触れることなく料理にかけることができ、大変衛生的であり料理の醍醐味も増すのである。
【発明を実施するための最良の形態】
【０００６】  以下、本発明の実施の形態について説明する。
（イ）柄（１）の一方の下部には、横方向に弾性があり外周は丸みを帯びていて、先端が斜め外下方向に伸びるとがった足部（２）を設ける。
（ロ）足部（２）と、ハンドル（６）と巻き込み部（４）を保持する反対側足部（５）の間に、外周が丸みを帯びた鉤針上の突起（３）を設けた回転する巻き込み部（４）を設ける。
（ハ）巻き込み部（４）は反対側足部（５）を貫通しているハンドル（６）によって足部（２）と反対側足部（５）の内側を移動および回転させることができる。
（ニ）足部（２）の最下部と鉤針上の突起（３）の先端はほぼ水平に設け、足部（２）との間を、巻き込み部（４）が移動する距離は輪切りレモン（７）の直径より長く設ける。
本発明は以上のような構成で、これを使用するときは柄（１）を持ちながら輪切りレモン（７）に足部（２）と巻き込み部（４）を回転させながら、図３に示すように、輪切りレモン（７）の外皮（８）の内側に同時に押し付けるようにする。
すると足部（２）は輪切り果実の一端に突き刺さり、もう一方には、回転する鈎針状の突起（３）に輪切りレモン（７）の果肉の部分がすくわれるように引っ掛けらる。そして更なる回転により輪切りレモン（７）の外皮（８）をねじるように保持する。そのとき足部（２）の先端が斜め外下方向に伸びていることにより、輪切りレモン（７）が落下することはない。さらに巻き込み部（４）が回転することにより輪切りレモン（７）全体が巻き上げられ、輪切りレモン（７）の一端は足部（２）の任意の位置で固定される。さらにハンドル（６）で巻き込み部（４）を回転させるが、輪切りレモン（７）は足部（２）がしなうため急激な力が加わらず、さらに鉤針上の突起（３）の外周が丸みを帯びているために外皮（８）等が切れにくく、あたかも輪ゴムがねじられるように全体的にねじり絞られていき、果汁が滴り落ちてくるのである。
【図面の簡単な説明】
【０００７】
【図１】    本発明の斜視図
【図２】    本発明の側面図
【図３】    本発明の使用直前の図
【図４】    本発明の使用中の図
【図５】    本発明の他の実施例を示す図
【図６】    本発明の他の実施例を示す図
【図７】    本発明の他の実施例を示す図
【符号の説明】
【０００８】    １  柄
２  足部
３  鉤針状の突起
４  巻き込み部
５  反対側足部
６  ハンドル
７  輪切りレモン
８  外皮
９  歯車
【図１】
2009022723.tif 000003
【図２】
2009022723.tif 000004
【図３】
2009022723.tif 000005
【図４】
2009022723.tif 000006
【図５】
2009022723.tif 000007
【図６】
2009022723.tif 000008
【図７】
2009022723.tif 000009
(57)【要約】【課題】  靴を履く時、歩行の時、及び走っている時に、靴の舌革（べろ）のつま先側にずれ込みを防止する。また足の甲部の高さや位置に合わせて舌革（べろ）合わせる事ができる。舌革（べろ）のずれ込み防止付靴を提供する。【解決手段】  靴の甲革（１）の裏側部分と、舌革（べろ）（２）の表側に、面ファスナー（３）を設けた舌革ずれ込み防止靴を特徴とする。【選択図】図１
2009022721.tif 000002
【特許請求の範囲】
【請求項１】
靴の甲革（１）の裏側と、舌革（べろ）（２）の表側に面ファスナー（３）を設けた舌革（べろ）のずれ込み防止靴。
【発明の詳細な説明】
【技術分野】
【０００１】  この発明は、靴の甲革裏と舌革（べろ）表側に面ファスナーを設けた舌革（べろ）ずれ込み防止靴に関するものである。
【背景技術】
【０００２】  従来、舌革（べろ）を自由に固定するものがなかった。又、舌革を靴紐で保持する為の布地が付いているが、舌革のずれ込み防止にはならない。
【発明の開示】
【発明が解決しようとする課題】
【０００３】  これは、次のような欠点があった。
従来、履口に足を入れる時、舌革（べろ）が中にずれ込み、引っ張り出すのに手間がかかった。また、甲革上部と舌皮の端部を縫込み又は接着してあり、足の甲部と舌皮の位置の調整が出来なかったものである。
【課題を解決するための手段】
【０００４】  靴の甲革の裏側（１）と舌革の表側（２）に、それぞれに面ファスナー（３）を設ける。
本発明は、以上の構成になる面ファスナーつきずれ込み防止靴である。
【発明の効果】
【０００５】  靴を履く時、舌革（べろ）のずれがなく、引き上げる手間が省ける。歩行中や走る時、舌革が靴紐の間や靴つま先方向へずれない。また舌革（べろ）が左右にずれない。
【発明を実施するための最良の形態】
【０００６】  以下、本発明を実施するための最良の形態について説明する。
甲革（１）の裏側部分と、舌革（べろ）（２）の履口側表上部側に面ファスナー（３）一対を左右それぞれに取付ける。甲革（１）に面ファスナー取付ける場合は靴紐用穴（４）にかからない下側に取付ける。
本発明は、以上のような構造である
【図面の簡単な説明】
【０００７】
【図１】  本発明の平面図である。
【符号の説明】
【０００８】１  靴の甲革
２  舌革（べろ）
３  面テープ
４  靴紐用穴
【図１】
2009022721.tif 000003
(57)【要約】【課題】  本発明品は、ベビーカーにつけたフックそのものや、傘が、ずれ落ちないためのフックを提供する。【解決手段】左右のフックを棒状のものでつなぐ。その棒状の中央に傘を通すための輪っかをつける。【選択図】図１
2009022722.tif 000002
【特許請求の範囲】
【請求項１】
フックそのものが左右にずれ落ちないように、棒状のものでつなげたフック。
【請求項２】
ベビーカーを傾けても傘が落ちないように、傘を入れる輪っかをつけたフック。
【発明の詳細な説明】
【技術分野】
【０００１】  本発明は、ベビーカーのつけたフックが左右にずれたり、ベビーカーの持ち手にかけていた傘が落ちたりすることを防いだものである。
【背景技術】
【０００２】  ベビーカーの持ち手に、荷物を吊るすためのフックをつけている人や、傘をかけている人が多い。フックは、左右に１つずつつけている。ベビーカーの傘の保持具は、ほとんど使われていない。
【発明の開示】
【発明が解決しようとする課題】
【０００３】  ベビーカーに子供を乗せたまま階段を上がるときなど、ベビーカーを少し傾けると、もち手に掛けた傘がすぐに滑り落ちてしまう。両手でベビーカーを持ち上げるため、手に傘を持つことは難しい。また、フックを１つずつ付けていると、ずれ落ちてくる。
【課題を解決するための手段】
【０００４】  左右のフックを棒状のものでつなぎ、左右に滑り落ちないようにした。そして、その棒状のものの中央に輪っかを付け、輪っかに傘を通すことで、傘が滑り落ちないようにした。
【発明の効果】
【０００５】  フックの左右をつなぐことによって、お互いに引っ張り合い、ずれ落ちない。輪っかに傘を通すことによって、傾いたり、揺れたりしていも、落ちることは無くなる。また、輪っかという単純な形にすることで、製作におけるコストが安くなり、傘の出し入れもしやすくなる。
【発明を実施するための最良の形態】
【０００６】  左右の２つのフックを棒状のものでつなぐ。その棒状のものの中央に、傘を入れる輪っかをつける。
【図面の簡単な説明】
【０００７】
【図１】  本発明品を示した図
【図２】  ベビーカーに本発明品を取りつけた図
【図１】
2009022722.tif 000003
【図２】
2009022722.tif 000004
(57)【要約】【課題】洋式便器の便座の上面に  便座シートを簡単に着脱出来る方法。【解決手段】洋式便器の便座の上面形状に  あわして起毛シートを貼り便座シートを簡単に着脱出来るようにした。【選択図】図２
2009022725.tif 000002
【特許請求の範囲】
【請求項１】
洋式便器の便座１１に便座シートを装着脱するために  便座１１に装着用の起毛テープ１２を数カ所貼り付ける事を特徴とする。
【請求項２】
請求項１記載の起毛テープに容易に装着出来る便座シート２１。
【発明の詳細な説明】
【技術分野】
【０００１】本発明は洋式便器の便座に便座シート  着脱を簡単に出来る方法に関する。
【背景技術】
【０００２】洋式便器の便座に便座シート  便座カバーを装着するには  便座の全面をゴムバンド等の止め金具を取り付けたり  Ｕ型便座の全面を筒状の物で覆ったり  便座シートの裏面に粘着剤層等が加工されている物が知られている。
【特許文献１】特開Ｈ１０−５７２７７
【特許文献２】特開Ｈ０８−２２４１９２
【発明の開示】
【発明が解決しようとする課題】
【０００３】本発明は便座に起毛テープを設けたことで便座シートを簡単に着脱できる方法を提供する。
【課題を解決するための手段】
【０００４】洋式便器の便座の形状におうじて数カ所  起毛テープを張り付ける事を特徴とする。【０００５】便座シートの材質は特に指定する物ではない  希望として起毛している方が良い。
【発明の効果】
【０００６】便座シートの材質は特に指定する物ではなく  天然繊維  合成繊維  布  編み物  不織布  いずれも使用出来る。【０００７】従来のように  止め金具とか  粘着剤のコーティングとかの加工が一切必要なく便座の形状に合わした形に打ち抜くのみで  製品コストを大幅に下げる事が出来生産性が向上する。
【図面の簡単な説明】
【０００８】
【図１】洋式便器の便座の上面形状に  あわして起毛シートを貼った状態の斜視図
【図２】洋式便器の便座に便座シートの使用状態を示す斜視図
【符号の説明】
【０００９】１１  便座
１２  起毛シート
２１  便座シートの使用状態
【図１】
2009022725.tif 000003
【図２】
2009022725.tif 000004
(57)【要約】【課題】  自動車内で、天井に係合させ固定している補助板に吸盤を吸着させ、小物類、ハンガー等を吊るすことができる、面ファスナー付き補助板を提供する。【解決手段】  樹脂系の円板（１）の裏面に面ファスナー（２）を取り付けた面ファスナー付き補助板を特徴とする。【選択図】図１
2009022707.tif 000002
【特許請求の範囲】
【請求項１】
樹脂系の円板（１）の裏面に面ファスナー（２）を取り付けた面ファスナー付き補助板。
【発明の詳細な説明】
【技術分野】
【０００１】  この発明は、自動車内の天井または、係合できる場所に、面ファスナー付き補助板を係合させ、その板に、フック付き吸盤を吸着させ、小物、ハンガー等を吊るして使用する事のできる、面ファスナー付き補助板に関するものである。
【背景技術】
【０００２】  従来、衣類や小物を自動車内に置く場合、助手席、後部座席に直接置いたり、また窓上部に設置している取っ手を利用し、ハンガーを吊るし服を掛けていた。
【発明の開示】
【発明が解決しようとする課題】
【０００３】  これは、次のような欠点があった。
（イ）自動車内の助手席、後部座席に直接物を置くと、そこに座る時に邪魔になる。
（ロ）自動車内の助手席、後部座席の上部に設置している取っ手を利用して、ハンガーを吊るしたりすると、乗り降りの際に邪魔になる。
（ハ）自動車内の助手席、後部座席の上部に設置している取っ手を利用し、ハンガーや、ものを掛けたりすると、取っ手に手を掛けることができなくなる。
【課題を解決するための手段】
【０００４】  樹脂系の円板（１）の裏面に面ファスナー（２）を取り付ける。
本発明は、以上の構成よりなる面ファスナー付き補助板である。
【発明の効果】
【０００５】（イ）自動車内の天井のどの場所にも面ファスナー付き補助板を係合することができる。
（ロ）自動車内の天井の邪魔にならない場所に、面ファスナー付き補助板を係合させることによって、小物類、衣類等を吊るすことができる。
（ハ）自動車内の天井の邪魔にならない場所に、面ファスナー付き補助板を係合させ、物を吊るすことによって、座席を確保することができる。
【発明を実施するための最良の形態】
【０００６】  以下、本発明を実施するための最良の形態について説明する。
樹脂系の円板（１）の裏面に面ファスナー（２）を取り付ける。
本発明は、以上のような構造である。
これを使用するときは、
（イ）面ファスナー付き補助板を自動車内の天井に強く押し係合させ、固定する。
（ロ）自動車の天井に係合させた補助板に、吸盤を吸着させ、ハンガー、小物類をを吊るす。
【図面の簡単な説明】
【０００７】
【図１】  本発明の斜視図である。
【図２】  本発明の正面図である。
【図３】  本発明の底面図である。
【図４】  本発明の断面図である。
【符号の説明】
【０００８】  １  樹脂系の円板
２  面ファスナー
【図１】
2009022707.tif 000003
【図２】
2009022707.tif 000004
【図３】
2009022707.tif 000005
【図４】
2009022707.tif 000006
(57)【要約】【課題】ペーパーホルダーと言えば、ペーパー本体の中芯部に芯棒をとうしホルダー本体にセットしていたが、ダブル収納ペーパーホルダーは、ペーパー本体をホルダーに入れるだけで、底奥部ペーパー取り出し口を簡素化し制作費も格安。【解決手段】１  ホルダー本体    ２  開閉ブタ    ３  スペイア底板はペーパー通り道を付る４  残量窓    ５  ペーパー本体底板は奥側に向けて傾斜角度を付ける６  底板奥部にはペーパー取り出し口をもうける    ７  カッター８  写真入れ    ９  鍵取り付け部穴    １０  ペーパー本体【選択図】図１
2009022704.tif 000002
【特許請求の範囲】
【請求項１】
ペーパーの、取り出し口を、ケースの底奥部分にもうけ、底部分を外側から奥部分に向けて傾斜させ角度をつける事によって、使用時ペーパー本体の回転が安定する仕組みにしたダブル収納ペーパーホルダーです。
【請求項２】
ケース本体上段の底板をペーパーの通り道を細工して付けることによって上段のスペーアーペーパーもセットすれば下段のペーパーと同様に使用出来る、ダブル収納ペーパーホルダーです。
【発明の詳細な説明】
【技術分野】
【０００１】本発明は、ペーパーの取り出し口をケース本体の底奥側にもうけ、底部分を奥部に向けて傾斜させる事によってペーパー本体が安定する仕組みである。
ケース本体上段の底板をペーパーの通り道を付ける。
【背景技術】
【０００２】従来、ペーパーホルダーはケース本体に芯棒によってペーパー本体をセットし、ペーパー本体の交換が不便であった。
【発明の開示】
【発明の効果】
【０００３】スペーアペーパーの収納も出来、上段底板が奥側にペーパーの通り道を付ける事によってペーパーの先端部を取り出し口にセットするだけで下段と同様使用出来、フタ下部にはカッターが有り切り出しも簡単に出来る。
【発明を実施する為の最良の形態】
【０００４】本発明はペーパーホルダーケースの底板奥部分にペーパー取り出し口をもうけさらに底板を奥部に向けて傾斜させ角度を付ける事によってペーパー本体が回転時安定する。
【図面の簡単な説明】
【０００５】
【図１】  ダブル収納ペーパーホルダー側面図である。
【符号の説明】
【０００６】１      ペーパーホルダー本体
２      開閉  フタ
３      スペーア底板
４      残量  窓
５      ペーパー底板
６      ペーパー取り出し口
７      カッター
８      写真入れ
９      鍵  穴
１０    ペーパー本体
【図１】
2009022704.tif 000003
(57)【要約】【課題】単純な構造を有する高所清掃具を提供する。【解決手段】高所清掃具は、第１端部１２および第２端部１４を有し長さを調節可能な操作棒１０と、操作棒１０の第１端部１２又はその付近に固定された吸引ノズル２０と、操作棒１０の第２端部１４又はその付近に固定されたエアホースリール３０とを備える。エアホースリール３０から伸びるエアホース４０のカプラ４２が吸引ノズル２０に接続される。【選択図】図１
2009022595.tif 000002
【特許請求の範囲】
【請求項１】
高所を清掃するための高所清掃具であって、
第１端部および第２端部を有し長さを調節可能な操作棒と、
前記操作棒の第１端部又はその付近に固定された吸引ノズルと、
前記操作棒の第２端部又はその付近に固定されたエアホースリールと、
を備え、前記エアホースリールから伸びるエアホースのカプラが前記吸引ノズルに接続されることを特徴とする高所清掃具。
【請求項２】
作業者が清掃対象を確認することができるように配置されたミラーを更に備えることを特徴とする請求項１に記載の高所清掃具。
【請求項３】
前記清掃対象を照明する照明器を更に備えることを特徴とする請求項２に記載の高所清掃具。
【請求項４】
前記エアホースリールのカプラに接続されるバキューム装置を更に備えることを特徴とする請求項１乃至３のいずれか１項に記載の高所清掃具。
【発明の詳細な説明】
【技術分野】
【０００１】
本発明は、高所を清掃するために好適な高所清掃具に関する。
【背景技術】
【０００２】
従来、高所（例えば、地面又は床から２ｍ以上の高さ）を清掃するためには、足場を組む必要があり、清掃のために要するコストが大きくなるし相当な作業時間を要していた。また、足場の上で作業者が上方を見上げながら作業をすることは危険でもあった。
【０００３】
特許文献１には、複数の中空ロッドを繋いだ伸縮ロッドの内部を吸い込み通路として利用し、その伸縮ロッドの先端に吸い込み口を取り付けた高所清掃器具が開示されている。特許文献１に記載された高所清掃器具によれば、足場の設置のために要するコストや時間が大幅に低減され、また、作業の安全性も高まる。
【特許文献１】特開平１１−２４４２０８号公報
【発明の開示】
【発明が解決しようとする課題】
【０００４】
しかしながら、特許文献１に記載された高所清掃器具では、伸縮ロッドの全体を中空ロッドで形成する必要があるために設計上の自由度が低く、また、中空ロッドのつなぎ部分におけるシールを確実にしなければ吸引力を確保することができない。
【０００５】
本発明は、単純な構造を有する高所清掃具を提供することを目的とする。
【課題を解決するための手段】
【０００６】
本発明に係る高所清掃具は、高所を清掃するために好適な高所清掃具であり、第１端部および第２端部を有し長さを調節可能な操作棒と、前記操作棒の第１端部又はその付近に固定された吸引ノズルと、前記操作棒の前記第２端部又はその付近に固定されたエアホースリールとを備え、前記エアホースリールから伸びるエアホースのカプラが前記吸引ノズルに接続される。
【発明の効果】
【０００７】
本発明によれば、例えば、単純な構造を有する高所清掃具が提供される。
【発明を実施するための最良の形態】
【０００８】
以下、添付図面を参照しながら本発明の好適な実施形態を説明する。
【０００９】
図１は、本発明の好適な実施形態の高所清掃具の構成を示す図である。本発明の好適な実施形態の高所清掃具１００は、高所（例えば、地面又は床から２ｍ以上の高さ）を清掃するために好適である。高所清掃具１００は、第１端部１２および第２端部１４を有し長さを調節可能な操作棒１０と、操作棒１０の第１端部１２又はその付近に固定された吸引ノズル２０と、操作棒１０の第２端部１４又はその付近に固定されたエアホースリール３０とを備える。
【００１０】
ここで、操作棒１０は、作業者１が吸引ノズル２０の位置を清掃対象箇所に操作するための棒である。操作棒１０は、例えば、複数の棒部材のうちの任意数の棒部材を連結することによって長さを調整可能に構成されてもよいし、複数の中空部材の径を異ならせて細い中空部材を太い中空部材の中に収納することができるような伸縮性の構造として構成されてもよい。
【００１１】
吸引ノズル２０は、操作棒１０に直接固定されてもよいし、他の部材を介して固定されてもよい。同様に、エアホースルール３０は、操作棒１０に直接固定されてもよいし、他の部材を介して固定されてもよい。エアホースリール３０から伸びるエアホース４０のカプラ４２は、吸引ノズル２０に接続される。
【００１２】
図２は、エアホースリール３０及びその周辺の構成例を示す図である。エアホースリール３０は、エアホース４０を巻き取ることができるように構成されている。エアホース４０の一端にはカプラ４２が取り付けられていて、他端はエアホースリール３０のカプラ３２に接続されている。エアホースリール３０のカプラ３２にバキューム装置５０を接続してバキューム装置５０を動作させることによって吸引ノズル２０を通して塵等を吸引することができる。
【００１３】
バキューム装置５０は、例えば、作業者１が携帯しうる。このようなバキューム装置５０に代えて、工場設備のバキュームライン、又は、移動型のバキューム装置を利用してもよい。
【００１４】
高所清掃具１００は、作業者１が清掃対象（典型的には、高所の構造物）９０を確認することができるように配置されたミラー６０を備えることが好ましい。これにより、作業者１から見て清掃対象９０の裏側、典型的には、清掃対象９０の上側の様子を容易に確認することができる。高所清掃具１００は、更に、清掃対象９０を照明する照明器７０を備えることが好ましい。これにより、通常は照明が十分になされていない高所の清掃対象９０の様子を確認が更に容易になる。照明器７０は、電池を内蔵してもよいし、電気コードを介して電源を供給されてもよい。
【００１５】
この実施形態によれば、操作棒１０の内部を吸引用の通路として利用する必要がないので、操作棒１０の構造を単純化することができる。これは、高所清掃具の製造コストの低下や耐久性の向上に寄与する。
【図面の簡単な説明】
【００１６】
【図１】本発明の好適な実施形態の高所清掃具の構成を示す図である。
【図２】エアホースリール及びその周辺の構成例を示す図である。
【符号の説明】
【００１７】
１  作業者
１０  操作棒
１２  第１端部
１４  第２端部
２０  吸引ノズル
３０  エアホースリール
３２  カプラ
４０  エアホース
４２  カプラ
５０  バキューム装置
６０  ミラー
７０  照明器
９０  作業対象
１００  高所清掃具
【図１】
2009022595.tif 000003
【図２】
2009022595.tif 000004